(57)【要約】【課題】打球の初速度を維持しつつ、コントロール性を向上することのできる卓球ラケットのブレード、ラケット本体及び卓球ラケットを提供する。【解決手段】本考案に係る卓球ラケットのブレード２０は、複数の木板２２，２６を接合してなる卓球ラケットのブレードであって、前記木板間の少なくとも１には、植物繊維シート３０が介在している。前記植物繊維シートは、木工用接着剤により前記木板に接合されていることが望ましい。前記植物繊維シートは、最も外側の木板の内面に配置されていることが望ましい。また、本考案に係るラケット本体は、上記ブレードに、グリップ部材１６を貼着してなる。さらに、本考案に係る卓球ラケット１０は、上記ラケット本体のフェース面に、ラバー１４を貼着してなる。【選択図】  図２
0003194383.tif 000002
【実用新案登録請求の範囲】
【請求項１】
複数の木板を接合してなる卓球ラケットのブレードであって、
前記木板間の少なくとも１には、植物繊維シートが介在している、
卓球ラケットのブレード。
【請求項２】
前記植物繊維シートは、木工用接着剤により前記木板に接合されている、
請求項１に記載の卓球ラケットのブレード。
【請求項３】
前記植物繊維シートは、最も外側の木板の内面に配置されている、
請求項１又は請求項２に記載の卓球ラケットのブレード。
【請求項４】
請求項１乃至請求項３の何れかに記載のブレードに、グリップ部材を貼着してなる、ラケット本体。
【請求項５】
請求項４にラケット本体のフェース面に、ラバーを貼着してなる、卓球ラケット。
【考案の詳細な説明】
【技術分野】
【０００１】
本考案は、スイートスポットを大きくすることのできる卓球ラケットのブレード、ラケット本体及び卓球ラケットに関するものである。
【背景技術】
【０００２】
卓球ラケットは、ブレードの基端にグリップ部材、フェース面にラバーを貼着することで構成される。ブレードとして、一枚の木板からなる単板構造のものや、複数枚の木板を接合した積層構造の合板構造のものが知られている。
【０００３】
また、近年、木板以外の材質のシートを木板間に挿入した合板のブレードも提案されている。たとえば、特許文献１では、木板間にカーボン繊維シートを挿入した合板のブレードを提案している。
【先行技術文献】
【特許文献】
【０００４】
【特許文献１】特開２００４−３２９３０３号公報
【考案の概要】
【考案が解決しようとする課題】
【０００５】
しかしながら、カーボン繊維シートは、木板よりも硬質であるから、ブレード自体が木板のみの合板よりも硬質となる。その結果、打球の反発係数は高くなって初速度は向上するが、反発係数が高い分、そのコントロール性が低下してしまう。
【０００６】
また、木板どうしは一般的に木工用接着剤で接合されるが、カーボン繊維シートは、この種の接着剤を含浸し難いので、接着剤を含浸し易い木板との接合性が低下する虞がある。
【０００７】
本考案の目的は、打球の初速度を維持しつつ、コントロール性を向上することのできる卓球ラケットのブレード、ラケット本体及び卓球ラケットを提供することである。
【課題を解決するための手段】
【０００８】
上記課題を解決するために、本考案に係るブレードは、
複数の木板を接合してなる卓球ラケットのブレードであって、
前記木板間の少なくとも１には、植物繊維シートが介在している。
【０００９】
前記植物繊維シートは、木工用接着剤により前記木板に接合されていることが望ましい。
【００１０】
前記植物繊維シートは、最も外側の木板の内面に配置されていることが望ましい。
【００１１】
また、本考案に係るラケット本体は、上記ブレードに、グリップ部材を貼着してなる。
【００１２】
さらに、本考案に係る卓球ラケットは、上記ラケット本体のフェース面に、ラバーを貼着してなる。
【考案の効果】
【００１３】
植物繊維シートは、木板を構成する木材と材質的に近く、また、薄くて撓み易い素材である。従って、植物繊維シートは、木板間に介在し木板の変形に追従して変形可能であってブレードの撓みを妨げないから、ブレードは、植物繊維シートにより適度な撓みが付与される。これにより、木板の反発係数等の特性を損なうことなくブレードの弾性が向上するから、これを使用した卓球ラケットは、スイートスポットが大きくなり、木板の打球の初速度を維持されると共に、打球時の衝撃を緩和しつつ、打球のコントロール性を向上させることができる。
【００１４】
また、上記のとおり、植物繊維シートは、木材と材質的に近いから、木板とのなじみもよい。そして、植物繊維シートは、木材どうしの接着に適した木工用接着剤との相性がよく、木工用接着剤が含浸し易いから、木板との接合強度を高めることができる。
【図面の簡単な説明】
【００１５】
【図１】図１は、本考案の一実施形態に係る卓球ラケットの正面図である。
【図２】図２は、図１の卓球ラケットのＩＩ−ＩＩに沿う断面図である。
【図３】図３は、ブレードに用いられる木板の枚数を変えた卓球ラケットの断面図である。
【図４】図４は、本考案の他の実施形態を示す卓球ラケットの断面図である。
【考案を実施するための最良の形態】
【００１６】
図１は、本考案の一実施形態に係る卓球ラケット１０の正面図、また、図２は断面図である。図に示すように、卓球ラケット１０は、平板状のブレード２０の細幅部にグリップ部材１６を貼着し、大略楕円部のフェースの片面又は両面にラバー１４，１４を貼着して構成することができる。グリップ部材１６のみを貼着したブレード２０は、ラケット本体１２と称される。
【００１７】
図示の卓球ラケット１０は、両面で打球するシェークハンドタイプの卓球ラケットであるが、片面で打球するペンホルダータイプの卓球ラケット等においても本考案は適用可能である。
【００１８】
ブレード２０は、図２に示すように、複数枚の木板２２，２６を積層して接合して構成され、本考案では、その少なくとも１の木板間に植物繊維シート３０を介在させている。
【００１９】
ブレード２０は、芯板となる中央の中木板２２と、同種又は異種の外木板２６とを合計３枚以上積層して構成され、一般的に、中央の中木板２２に対して薄い木板２６，２６を表裏対称となるように積層される。
【００２０】
図示のブレード２０は、木板２２，２６を３枚使用したものであり、中木板２２と最も外側に位置する外木板２６，２６との間に夫々植物繊維シート３０を介在させて構成している。
【００２１】
本実施形態では、外木板２６，２６は互いに同種の木材、中木板２２は外木板２６，２６と同種又は異種の木材を採用し、植物繊維シート３０，３０は互いに同種のものを採用している。そして、中木板２２に対して表裏対称となるように植物繊維シート３０，３０及び外木板２６，２６を配置している。このように構成することで、ブレード２０の反りを防止することができる。もちろん、木板２２，２６の種類や枚数、植物繊維シート３０の配置はこれに限定されるものではない。
【００２２】
本考案において、植物繊維シート３０を採用したのは、木板２２，２６を構成する木材と材質的に近い素材であるためである。
【００２３】
植物繊維シート３０とは、植物の繊維を裁断等して漉くことによって得られる薄いシートである。植物繊維シート３０として、所謂木材パルプ又は非木材パルプを出発原料とするシートを例示できる。この種の植物繊維シート３０は、木板２２，２６の接合に用いられる木工用接着剤が含浸し易く、木板２２，２６との接合強度を高めることができる利点がある。
【００２４】
なお、植物繊維シート３０は、１００％パルプとすることもできるが、強度を高めるために、例えばオレフィン系などの複合繊維を５０％程度配合して作成することもできる。また、植物繊維シート３０に樹脂を含浸させたり、樹脂シートで被覆して物理的強度を高めた強化シートを採用することもできる。
【００２５】
植物繊維シート３０の厚さは、ブレード２０に適度な撓み効果を付与するために、０．０５ｍｍ〜０．２ｍｍ程度が好適である。
【００２６】
そして、図２に示す３枚の木板２２，２６を用いたブレード２０は、ブレード２０の形状よりも大きい木板２２，２６と植物繊維シート３０を準備し、中木板２２、植物繊維シート３０及び外木板２６の接合面に夫々木工用接着剤を塗布し、中木板２２と外木板２６，２６との間に植物繊維シート３０，３０を挟んで貼り合わせ、これをプレスすることで一体化し、その後所望形状に裁断して作成することができる。
【００２７】
得られたブレード２０は、植物繊維シート３０に木工用接着剤が含浸することで、木板２２，２６との接合強度にすぐれる。
【００２８】
ブレード２０には、グリップ部材１６を貼着されてラケット本体１２が作成され、さらにフェース面にラバー１４を貼着することで卓球ラケット１０が作成される。
【００２９】
本考案に係る卓球ラケット１０は、薄くて撓み易い植物繊維シート３０を木板２２，２６間に介在させたことで、ブレード２０に適度な撓みを付与することができる。また、植物繊維シート３０は、木板２２，２６と材質的に近いから、木板に追従して変形し、木板の特性を損なうこともない。
【００３０】
従って、本考案の卓球ラケット１０は、スイートスポットを大きくすることができ、打球の初速度を維持されると共に、打球時の衝撃を緩和しつつ、打球のコントロール性を向上させることができる。
【００３１】
図３及び図４は、本考案の異なる実施形態を示す卓球ラケット１０の断面図である。
【００３２】
図３は、木板２２，２４，２６の枚数を合計５枚としており、図示では最も外側となる外木板２６とその内側の木板２４の間に植物繊維シート３０を介在させている。最も外側の外木板２６の内側に植物繊維シート３０を介在させることで、植物繊維シート３０を挿入した効果を最大限に引き出すことができる。もちろん、内側の木板２４と中木板２２との間に植物繊維シート３０を介在させたり、これらの両方に植物繊維シート３０を介在させる構成としてもよい。
【００３３】
図３は、図２と同様に、中木板２２に対して表裏対称に植物繊維シート３０を介在させているが、何れの実施形態においても、一方の側のみに植物繊維シート３０を介在させる構成としても構わない。
【００３４】
また、中木板２２を挟んで、一方の側に植物繊維シート３０、他方の側に厚さや種類の異なる植物繊維シートを採用することもできる。また、図４に示すように、一方の側に植物繊維シート３０、他方に植物由来の繊維シートとは異なる無機材質繊維シート４０を介在させることもできる。図示の実施形態では、一方の外木板２６と中木板２２との間に植物繊維シート３０、他方の外木板２８と中木板２２との間に無機材質繊維シート、たとえば、カーボン繊維シート４０を介在させている。
【００３５】
何れの場合であっても、植物繊維シート３０を介在させることで、卓球ラケット１０は、スイートスポットを大きくすることができ、打球の初速度を維持されると共に、打球時の衝撃を緩和しつつ、打球のコントロール性を向上させる効果を発揮することができる。
【実施例】
【００３６】
図２に示した木板２２，２６間に植物繊維シート３０（厚さ０．１４ｍｍの強化紙）を介在させて作成したブレード２０を採用した卓球ラケット１０（考案例）を水平に固定し、５０ｃｍの高さからピンポン球を落下させることで、その反発音に基づいてスイートスポットを計測した。また、比較のために、木板２２，２６のみの３層構造の卓球ラケット（比較例）にも同様の計測を行なった。
【００３７】
結果を図１に示す。図１中、範囲Ｐは考案例のスイートスポットであり、範囲Ｐ０は比較例のスイートスポットである。図を参照すると、考案例は比較例に比べて直径で約２倍、すなわち、面積で約４倍スイートスポットが大きくなっていることがわかる。
【００３８】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案請求の範囲に記載の技術的範囲内で種々の変形が可能であることは勿論である。
【符号の説明】
【００３９】
１０  卓球ラケット
１２  ラケット本体
２０  ブレード
２２  木板（中木板）
２６  木板（外木板）
３０  植物繊維シート
【図１】
0003194383.tif 000003
【図２】
0003194383.tif 000004
【図３】
0003194383.tif 000005
【図４】
0003194383.tif 000006